(57)【特許請求の範囲】
【請求項１】
使用者の頭部と対向する位置に固定、又は、簡易的に配置される本体部と、
前記本体部に対して可動するように配置され、前記頭部の局所に、集約された第１の風を吹き出す第１の吹き出し口と、
前記第１の風を送風する第１送風機構と、
前記第１の吹き出し口からの、前記第１の風を吹き出す方向を、左右方向及び上下方向のいずれか一方向に切り替え可能な方向切替機構と、
前記第１の吹き出し口からの、前記第１の風を吹き出す位置を、前記一方向に直交する方向に移動可能な位置移動機構と、
前記本体部の開口部として形成され、前記局所よりも広範囲に、頭髪を乾燥させる第２の風を吹き出す第２の吹き出し口と、
前記第２の風を送風する第２送風機構と、
を備えた頭髪乾燥装置。
【請求項２】
前記方向切替機構は、前記一方向に回転自在に固定された前記第１の吹き出し口の先端を、前記一方向に直交する方向に、前記一方向に振幅する波状に開口させたスリットから突出させるように構成され、
前記位置移動機構により、前記第１の吹き出し口を前記スリットに沿って、前記一方向に直交する方向に移動させることにより、
前記第１の吹き出し口を前記一方向に首振り動作させると共に、前記第１の風を吹き出す位置を、前記一方向に直交する方向に移動させる、請求項１に記載の頭髪乾燥装置。
【請求項３】
前記第２の風の温度を、前記第１の風の温度よりも高くすることができる、請求項１及び請求項２のいずれか１項に記載の頭髪乾燥装置。
【請求項４】
前記第１の風の流速を、前記第２の風の流速よりも早くすることができる、請求項１から請求項３のいずれか１項に記載の頭髪乾燥装置。
【請求項５】
前記第１の風を送風する前記第１送風機構が、前記本体部から分離させた状態で、ヘアドライヤーとして使用可能に構成される、請求項１から請求項４のいずれか１項に記載の頭髪乾燥装置。
【発明の詳細な説明】
【技術分野】
【０００１】
本発明は、頭髪乾燥装置に関する。
【背景技術】
【０００２】
一般に、頭髪は濡れると柔らかくなる。これは頭髪が適度な水分を保つための水素結  合が、付着した水分により切り離されたことによるものであり、この水素結合が切り離されると、頭髪表面を覆っているキューティクルと呼ばれる硬いタンパク質の組織が緩む。そのため、濡れた状態の頭髪の緩んだ組織からは、頭髪内部の潤い成分などが頭髪外部へ流出するとされている。また、濡れた状態の頭皮は細菌が繁殖し易いため、タオルで付着した水分を拭き取ったり、ヘアドライヤーなどで早急に乾燥させたりすることが好ましい。
【０００３】
また、ヘアドライヤーで頭髪を乾燥させる場合、手指やブラシなどで頭髪を梳かさずに温風を特定の領域に当て続けると、同領域の表面の頭髪のみが乾燥され、同領域の内部、すなわち、頭皮近傍部の頭髪は乾燥されにくい。また、同領域の表面の頭髪は水分を過剰に失い、適度な水分結合状態が維持できなくなってダメージヘア状態（熱によるタンパク変性）となる。
【０００４】
そのため、頭髪の乾燥作業は、一方の手でヘアドライヤーを保持して、所定の領域に温風を当てるとともに、他方の手指や、他方の手に保持したブラシなどによって同領域の頭髪を梳かしたり、かき分けたり、すなわち、移動及び拡散させ、これを頭部全体の頭髪が乾燥するまで、温風を当てる領域を移動させながら繰り返すことが一般的である。このような、ヘアドライヤーを使用する際の、熱によるダメージを軽減させて、かつ、頭皮近傍部の頭髪も乾燥させる作業は両手で行う必要があるため、ヘアドライヤーを手で保持することなく頭髪を乾燥させる方法や、手で保持する必要がないヘアドライヤーが提案されている。
【０００５】
例えば、特許文献１には、有底筒状のケースに対向する壁材に上下方向に延びる、少なくとも１組の凹状欠部を設けたヘアドライヤーの置台が開示されている。
【０００６】
また、特許文献２には、化粧鏡や照明用光源と一体化され、関節部を有するとともにその基端部が化粧鏡の近傍位置に保持されかつその先端部が空間を自在に移動可能かつ任意位置で係止可能な自在腕と、この自在腕の先端に設けられたヘアドライヤーが開示されている。
【先行技術文献】
【特許文献】
【０００７】
【特許文献１】特開２０１０‐０７５２４８号公報
【特許文献２】特開２００８‐０６１６５６号公報
【発明の概要】
【発明が解決しようとする課題】
【０００８】
特許文献１のヘアドライヤーの置台は、ヘアドライヤーの未使用時には同ヘアドライヤーを収納することができるだけでなく、ヘアドライヤーの使用時は、同ヘアドライヤーを同置台にセットすることにより、頭髪を乾燥させる際にヘアドライヤーを手で保持する必要がない。
【０００９】
また、特許文献２のヘアドライヤーも、ヘアドライヤー本体が関接部を有する自在腕に支持されているため、乾燥させたい領域の頭髪の近傍にヘアドライヤーを移動させ、その位置で係止させれば、ヘアドライヤーを手で保持する必要がない。
【００１０】
しかしながら、ヘアドライヤーを手で保持する必要がない特許文献１及び２の形態においても、頭部表面の頭髪だけでなく、頭皮近傍部の頭髪を乾燥させるためには、温風を当てる領域の頭髪を、手指やブラシなどで移動・拡散させる必要がある。このように、頭髪をヘアドライヤーなどの温風を当てて乾燥させる場合、温風を当てる領域において、同領域表面の頭髪が水分を過剰に失い、ダメージヘア状態になることを防止するためには、同領域の頭髪を何らかの方法で移動・拡散させて、同領域内部の頭皮近傍部の頭髪も、表面の頭髪と略均などに乾燥させる必要がある。この点において、ヘアドライヤーを使用する頭髪の乾燥作業には、まだ改善の余地があった。
【００１１】  本発明は、上記したような改善を目的としたもので、具体的には、温風を当てる領域の頭髪を、手指やブラシなどで移動・拡散させることなく、頭皮近傍部の頭髪も、表面の頭髪と略均等に乾燥させることができる頭髪乾燥装置を提供することを目的としている。
【課題を解決するための手段】
【００１２】
本発明の上記目的は、使用者の頭部と対向する位置に固定、又は、簡易的に配置される本体部と、前記本体部に対して可動するように配置され、前記頭部の局所に、集約された第１の風を吹き出す第１の吹き出し口と、前記第１の風を送風する第１送風機構と、前記第１の吹き出し口からの、前記第１の風を吹き出す方向を、左右方向及び上下方向のいずれか一方向に切り替え可能な方向切替機構と、前記第１の吹き出し口からの、前記第１の風を吹き出す位置を、前記一方向に直交する方向に移動可能な位置移動機構と、前記本体部の開口部として形成され、前記局所よりも広範囲に、頭髪を乾燥させる第２の風を吹き出す第２の吹き出し口と、前記第２の風を送風する第２送風機構と、を備えた頭髪乾燥装置によって達成される。
【００１３】
また本発明に係る頭髪乾燥装置は、前記方向切替機構は、前記一方向に回転自在に固定された前記第１の吹き出し口の先端を、前記一方向に直交する方向に、前記一方向に振幅する波状に開口させたスリットから突出させるように構成され、
前記位置移動機構により、前記第１の吹き出し口を前記スリットに沿って、前記一方向に直交する方向に移動させることにより、
前記第１の吹き出し口を前記一方向に首振り動作させると共に、前記第１の風を吹き出す位置を、前記一方向に直交する方向に移動させることが好ましい。
【００１４】
本発明に係る頭髪乾燥装置は、第２の風の温度を、第１の風の温度よりも高くすることができても良いし、第１の風の流速を、第２の風の流速よりも早くすることができても良い。
【００１５】
さらに、本発明に係る頭髪乾燥装置は、第１の風を送風する第１送風機構が、本体部から分離させた状態で、ヘアドライヤーとして使用可能に構成されることが好ましい。
【発明の効果】
【００１６】
本発明に係る頭髪乾燥装置は、使用者の頭部と対向する位置に固定、又は、簡易的に配置される本体部と、前記本体部に対して可動するように配置され、前記頭部の局所に、集約された第１の風を吹き出す第１の吹き出し口と、前記第１の風を送風する第１送風機構と、前記第１の吹き出し口からの、前記第１の風を吹き出す方向を、左右方向及び上下方向のいずれか一方向に切り替え可能な方向切替機構と、前記第１の吹き出し口からの、前記第１の風を吹き出す位置を、前記一方向に直交する方向に移動可能な位置移動機構と、前記本体部の開口部として形成され、前記局所よりも広範囲に、頭髪を乾燥させる第２の風を吹き出す第２の吹き出し口と、前記第２の風を送風する第２送風機構と、を備える構成としたので、温風を当てる領域の頭髪を、手指やブラシなどで移動・拡散させることなく、頭皮近傍部の頭髪も、表面の頭髪と略均等に乾燥させることができる。
【図面の簡単な説明】
【００１７】
【図１】本発明の第１の実施形態に係る頭髪乾燥装置の概略斜視図である。
【図２】図１のＡ方向から見た頭髪乾燥装置の概略斜視図である。
【図３】図１のＢ方向から見た頭髪乾燥装置の正面図である。
【図４】図１のＣ方向から見た頭髪乾燥装置の上面図である。
【図５】図３のＤ‐Ｄ線断面図である。
【図６】頭髪乾燥装置の第２の空間の内部構造を示す説明図である。
【図７】頭髪乾燥装置の第１の風の流路の説明図である。
【図８】頭髪乾燥装置の第１の吹き出し口の詳細を示す説明図である。
【図９】頭髪乾燥装置の第２の空間の内部構造を示す概略斜視図である。
【図１０】頭髪乾燥装置の使用形態の１例を示す説明図である。
【図１１】本発明の第２の実施形態に係る頭髪乾燥装置の説明図である。
【図１２】頭髪乾燥装置から分離されたヘアドライヤーの斜視図である。
【図１３】図１２のＥ‐Ｅ線断面図である。
【図１４】ヘアドライヤーを頭髪乾燥装置に装着させた状態を示す構造図である。
【図１５】ヘアドライヤーを頭髪乾燥装置から分離させて使用する状態を示す説明図である。
【図１６】本発明の第３の実施形態に係る頭髪乾燥装置の使用状態を示す図である。
【図１７】本発明の第４の実施形態に係る頭髪乾燥装置の使用状態を示す図である。
【図１８】本発明の頭髪乾燥装置の別形態を示す図である。
【発明を実施するための形態】
【００１８】
続いて、添付した図面を参照しつつ、本発明を具体化した実施の形態について説明し、本発明の理解に供する。なお、図において、説明に関連しない部分は図示を省略する場合がある。
（第１の実施の形態）
【００１９】
図１〜図１０を参照しながら、第１の実施の形態について説明する。図１〜図４に示すように、本発明の第１の実施の形態に係る頭髪乾燥装置１０は、本体部１１の正面に、第１の吹き出し口１４及び第２の吹き出し口１８が配置されている。
【００２０】
第１の吹き出し口１４は、本体部１１の正面の略中央部に、本体部１１に対して可動するように配置され、使用者の頭部の局所に、集約された第１の風を吹き出す。第１の風は第１送風機構２５から送風される。
【００２１】
第２の吹き出し口１８は、本体部１１の正面の右側端部に、上下方向に延びる開口部として形成され、使用者の頭部の局所よりも広範囲に第２の風を吹き出す。第２の風は第２送風機構３２から送風される。
【００２２】
第１の吹き出し口１４は、方向切替機構３８により、第１の風を吹き出す方向を左右に切り替えることができる。また、第１の吹き出し口１４は、位置移動機構３４により、第１の風を吹き出す位置を上下方向に移動することができる。第１の吹き出し口１４は、これら方向切替機構３８及び位置移動機構３４により本体部１１に対して可動するように配置され、第１の風を吹き出す方向を左右に切り替えながら、第１の風を吹き出す位置を上下に移動させることにより、集約された第１の風を、頭部の広範囲に到達させて、頭髪を移動・拡散させることができる。
【００２３】
次に、図５〜図９を参照しながら頭髪乾燥装置１０の詳細な構造について説明する。
図５に示すように、頭髪乾燥装置１０の内部は、上下方向に配置された仕切り４８により、第１の空間Ｓ１及び第２の空間Ｓ２が形成されている。
【００２４】
第１の空間Ｓ１には、第１の吹き出し口１４の可動に係る、方向切替機構３８と位置移動機構３４とが収納されている。これら方向切替機構３８と位置移動機構３４とを図８に示す。
位置移動機構３４は、図示しない駆動源とラックアンドピニオン機構などの運動変換機構との組み合わせにより、第１の吹き出し口１４を上下方向に移動させることができる。
【００２５】
方向切替機構３８は、第１の吹き出し口１４の方向を左右に切り替えることができる。
本実施の形態における方向切替機構３８は、位置移動機構３４に対して、左右方向に回転自在に固定された第１の吹き出し口１４の先端を、上下方向の波状に開口させたスリットから突出させている。この状態で、位置移動機構３４により第１の吹き出し口１４を上下方向に移動させると、突出させたその先端が、波状に開口させたスリットに沿って上下方向に移動されため、第１の吹き出し口１４の方向が左右に切り替えられ、首振り動作をさせることができる。第１の吹き出し口１４の本体部１１からの突出部分に、図中に示すような第１の吹き出し口ノズルカバー１２を配置させると見栄えがよい。
この第１の吹き出し口１４の左右の首振り動作により、図４に示す、第１の風を吹き出す方向Ｄ１を、図８に示すように、第１の吹き出し口１４を上下方向（ＵＬ間）に移動させる間に、方向Ｄ１ａから方向Ｄ１ｂの範囲で変化させることができる。また、第１の吹き出し口１４の上下方向の移動動作に支障が生じない範囲で、方向切替機構３８のスリットの開口形状を変えることにより、第１の吹き出し口１４のこの首振り動作のパターンを変更することも可能である。
【００２６】
第１の吹き出し口１４は、第２の空間Ｓ２に配置された、第１の風に係る第１の風ファン３０及び第１の風モータ４４により送風される室温風を吹き出すように構成されている。第１送風機構２５を構成する、これら、第１の風ファン３０及び第１の風モータ４４は、同じく第２の空間Ｓ２に配置され、本体部１１の上面の第１の風吸入口１６側（上方）を大径になるように構成された流路４６ａに内蔵されている。第１の風ファン３０及び第１の風モータ４４により、第１の風吸入口１６から吸入された室温風は、小径に絞られた流路４６ａの下方から、仕切り４８を貫通する流路４６ｂ、蛇腹３６及び流路４６ａを経由して第１の吹き出し口１４から吹き出される。この室温風を送風する流路４６ｂと４６ｃとが、蛇腹３６を介して接続されているので、第１の吹き出し口１４が上下方向に移動しても、第１の風ファン３０から送風される室温風を吹き出すことができる。
【００２７】
なお、本実施の形態においては、位置移動機構３４による第１の吹き出し口１４の上下方向の移動を活用して、第１の吹き出し口１４の方向を左右に切り替える形態としたが、方向切替機構３８が、専用の駆動源とカムなどの運動変換機構との組み合わせを備え、任意に第１の吹き出し口１４の方向を左右に切り替える形態であってもよい。
また、本実施の形態においては、位置移動機構３４及び方向切替機構３８の両方を備え、第１の吹き出し口１４の方向及び位置の両方を変更可能な形態としたが、方向及び位置の一方のみを変更できる形態であってもよい。
【００２８】
第２の空間Ｓ２には、第１の風に係る、第１の風ファン３０及び第１の風モータ４４が内蔵された流路４６ａの他に、図５、図６及び図９に示すように、第２の風に係るシロッコファンモータ２２、シロッコファン２４、第２の風ヒータ２８、イオン発生体４０、及び制御部２６が収納されている。
シロッコファン２４は、上下方向に延びる回転軸回りに回転する円柱状のファンであって、本体部１１の正面から見た左側面に配置される第２の風吸入口２０の側に配置されている。
シロッコファン２４の下方にはシロッコファンモータ２２が配置され、同モータによりシロッコファン２４を回転させると、第２の風吸入口２０から吸入した空気を、第２の空間Ｓ２を流路として第２の吹き出し口１８に送風できる。これら、シロッコファン２４及びシロッコファンモータ２２により、第２送風機構３２を構成するものとする。
【００２９】
第２の風ヒータ２８は、円柱状に巻かれたニクロム線により構成されており、シロッコファン２４と第２の吹き出し口１８との間、すなわち、シロッコファン２４の送風方向下流に配置されている。この構成により、シロッコファン２４によって送出風された空気を第２の風ヒータ２８により任意の温度に加熱させて、第２の風を任意の温度の温風として吹き出すことができる。
【００３０】
イオン発生体４０（図５参照）は、第２の空間Ｓ２の第２の吹き出し口１８近傍に配置されている。イオン発生体４０はマイナスイオンを任意で発生させることができ、第２吹き出し口から吹き出す温風にマイナスイオンを含有させることができる。マイナスイオンは、温風により加熱される頭髪のダメージヘア状態を軽減する作用があるとされ、近年のヘアドライヤーの上位機種にその発生機能が採用されることが多い。
【００３１】
制御部２６は、第２の風ヒータ２８の下方に配置されており、図示しない操作スイッチなどから使用者が選択した風量、風速、送風温度、イオン発生要否などの情報に基づき、第１の吹き出し口及び第１の風に係る、方向切替機構３８と位置移動機構３４、及び第１の風モータ４４、並びに、第２の風に係る、シロッコファンモータ２２、第２の風ヒータ２８及びイオン発生体４０を制御する。
【００３２】
次に、頭髪乾燥装置１０の動作について説明する。
使用者が図示しない操作スイッチなどを操作すると、シロッコファンモータ２２によりシロッコファン２４が回転し、第２の風吸入口２０から第２の空間Ｓ２に空気が吸入され、下流に送風される。また、第２の風ヒータ２８が作動しニクロム線が発熱し、シロッコファン２４から送風される空気を選択された温度になるように加熱する。また、イオン発生体４０が作動するように選択されていれば、イオン発生体４０から第２の空間Ｓ２にマイナスイオンが発生される。
従って、第２の風吸入口２０から吸入された空気は、イオン発生体４０から発生させたマイナスイオンを含有するとともに、選択された温度の温風となって第２の吹き出し口１８から吹き出される。
頭髪乾燥装置１０の本体部１１の正面の右側端部に、上下方向に延びる開口部として形成される第２の吹き出し口１８から、頭髪乾燥装置１０の正面に対向する使用者の頭部（方向Ｄ２）に向かって吹き出される、このようなマイナスイオンを含有する選択された温度の温風である第２の風は、使用者の頭髪を乾燥させるために好適である。
【００３３】
一方、第１の風モータ４４により第１の風ファン３０が回転し、第１の風吸入口１６からも空気が流路４６ａに吸入される。吸入された空気は、流路４６ｂ、蛇腹３６及び流路４６ｃを介して、第１の吹き出し口１４から吹き出される。
その際、第１の吹き出し口１４は、位置移動機構３４及び方向切替機構３８により、第１の風を吹き出す方向を左右に切り替えながら（方向Ｄ１ａ〜Ｄ１ｂ）、第１の風を吹き出す位置を上下方向（ＵＬ間）に移動させる。
このように、第１の吹き出し口１４から、使用者の頭部の局所に向かって吹き出される、集約された室温風である第１の風は、頭髪を移動・拡散させるために好適であり、第１の風を吹き出す方向を左右に切り替えながら、第１の風を吹き出す位置を上下に移動させることにより、集約された第１の風を、頭部の広範囲に到達させて、頭髪を移動・拡散させることができる。
【００３４】
このように、頭髪乾燥装置１０によれば、第１の吹き出し口１４から使用者の頭部の局所に集約された第１の風を吹き出させて頭髪を移動・拡散させながら、第２の吹き出し口１８から使用者の頭部の局所よりも広範囲に第２の風を吹き出させて頭髪を乾燥させる。そのため、従来のように、手指やブラシなどで頭髪を梳かしたり、かき分けたりすることなく、頭皮近傍部の頭髪も、表面の頭髪と略均などに乾燥させることができる。
なお、頭髪乾燥装置１０による頭髪の乾燥作業において、両手が自由に使えることによって、歯を磨くなど他の作業ができるが、そのような他の作業に気をとられて、必要以上に頭髪が乾燥されないように、予め設定された運転継続時間が経過するとアラーム音を発生するアラーム発生部を設けてもよい。
【００３５】
本実施の形態においては、第１の風は、頭髪を移動・拡散させることが目的であるため、必ずしも温風やイオン含有風である必要はないが、後述する第２の実施の形態のように、第１の風を温風やイオン含有風にすることができる機能を配置させてもよい。また、第１の風の目的を鑑みれば、第１の風の送風に係る第１送風機能は、第２の風の送風に係る第２送風機能に対して、大風量の送風は必要ないが、送風流速を高くすることができることが好ましい。
第２の風は、頭髪を乾燥させることが目的であるため、第１の風に対して、温風で且つその温度が調整可能であることは必須であり、送風流速を高速にする必要はないが、大風量が送風可能である構成が好ましい。さらに、イオン含有風であることは必須ではないが、そうであることが好ましい。ここで、本願発明の頭髪乾燥装置は、手で保持しながら使用することを想定していないため、従来の手で保持するヘアドライヤーに対して、装置の大きさや重量についての制約が少ない。そのため、第１の風や第１の吹き出し口に係る構成の収納を鑑みたとしても、第２の風を温風やイオン含有風や大風量とするための構成の大きさや重量を大きくしてもよく、あるいは、無理に小型、軽量にする必要がない。
【００３６】
一方、本実施の形態においては、頭髪乾燥装置１０を使用者の頭部と対向する位置に配置させて使用することが好ましい。一例として、図１０に示すように、更衣室など、頭髪を乾燥させる必要のある空間の壁面に配置させて使用してもよい。この際、頭髪乾燥装置１０を壁面に固定してもよいし、頭髪を乾燥させる際にその空間の壁面に簡易的に配置させてもよい。また、図示はしていないが、頭髪乾燥装置１０を卓上に自立可能に構成したり、自立スタンドに配置させたりして、使用者の頭部に対向させるのに好適な位置や場所に配置させることができれば、その配置形態に制約はない。そのためにも、第２の吹き出し口１８に配置されるルーバー４２を、頭髪乾燥装置１０の配置形態に応じて、第２の風を頭髪乾燥装置１０の上方や下方に向けて少し斜めに吹き出すように傾けて形成させたり、吹き出す方向を上下方向に手動で若干調整可能に構成されたりすることが好ましい。また、第２の吹き出し口１８に配置されるルーバー４２により、第２の風の吹き出し方向を、左右方向に調整したり、自動で方向を切り替えたりする構成にしても本発明の目的は達成できる。
（第２の実施の形態）
【００３７】
続いて、図１１〜図１５を参照しながら、第２の実施の形態に係る頭髪乾燥装置５０について説明する。第１の実施の形態と共通する部分については、同じ符号を付してその詳細な説明は省略する。
【００３８】
図１１に示すように、頭髪乾燥装置５０の外観は、第１の実施の形態の頭髪乾燥装置１０と実質的に同一である。頭髪乾燥装置５０と頭髪乾燥装置１０との相違点は、第１の風の第１送風機構（第１の実施の形態における第１の風ファン３０及び第１の風モータ４４）が、頭髪乾燥装置５０の本体部１０から分離させた状態でヘアドライヤー５１として使用できる点である。
【００３９】
本実施の形態における、頭髪乾燥装置５０の第１送風機構であるヘアドライヤー５１は、図１３及び図１４に示すように、第１の風ファン６６、第１の風モータ６８、ヘアドライヤーヒータ５２、及びバッテリー５４が配置されている。  
第１の風ファン６６は、第１の風モータ６８によって回転され、第１の風吸入口５３から空気を吸入し、ヘアドライヤー吹き出し口６２から、頭髪乾燥装置５０に装着させた状態（図１４参照）においては、第２の空間Ｓ２内において接続される流路４６ａへ送風できる。ヘアドライヤー吹き出し口６２の先端には、分離させた状態で、通常のヘアドライヤーとして使用するためのアタッチメントヘッドノズル６０が取り付け可能である（図１３参照）。アタッチメントヘッドノズル６０は、ノズル形状の異なる複数種類を用意させ、用途に合わせて吹き出す風の範囲や風速を変更できることが好ましい。
【００４０】
ヘアドライヤーヒータ５２も、第１の実施の形態の第２の風ヒータ２８と同様に、円柱状に巻かれたニクロム線により構成されている。ヘアドライヤーヒータ５２は、第１の風ファン６６の送風方向下流に配置され、流路４６ａへ加熱させた空気を送風できる。すなわち、第１の実施の形態と異なり、第１の風を温風とすることが可能である。
【００４１】
バッテリー５４は、ヘアドライヤー５１を頭髪乾燥装置５０から分離させた状態で、通常のヘアドライヤーとして使用する際に、第１の風ファン６６を回転させる第１の風モータ６８及びヘアドライヤーヒータ５２の電源となる。バッテリー５４は、ヘアドライヤー５１の取手部分に内蔵されている。バッテリー５４は、端子（不図示）を介して頭髪乾燥装置５０への図示しない電源供給部から、ヘアドライヤー５１を頭髪乾燥装置５０に装着させた状態で充電される。  当然ながら、ヘアドライヤー５１を頭髪乾燥装置５０に装着させて第１の風の送風機構として機能させている間は、第１の風モータ６８及びヘアドライヤーヒータ５２の電源は、頭髪乾燥装置５０への図示しない電源供給部から直接供給される。
なお、バッテリーは、交換可能に構成されていてもよい。
【００４２】
また、本実施の形態においては、ヘアドライヤー５１が、頭髪乾燥装置５０から分離させた状態において、内蔵されるバッテリー５４から電源供給される形態としたが、ヘアドライヤー５１にバッテリー５４を内蔵させず、頭髪乾燥装置５０から、専用の電源コード等を介して電源供給される形態や、ヘアドライヤー５１が備える専用の電源コード等を、頭髪を乾燥させる場所の電源（コンセント）に接続させる形態であってもよい。
ヘアドライヤー５１が内蔵されるバッテリー５４から電源供給される形態においては、電源コード等の収納を考慮する必要がなく、頭髪のスタイリング時に、電源コードが邪魔になることがない。一方、ヘアドライヤー５１にバッテリー５４を内蔵せず、外部から電源供給される形態においては、ヘアドライヤー５１を軽量化できるとともに、バッテリーの充電容量の制約を受けずに、頭髪のスタイリングを行うことができる。ヘアドライヤー５１にバッテリー５４を内蔵させるか否かは、頭髪乾燥装置５０の使用環境や設置制約等を鑑みて、適宜選択されればよい。  
【００４３】
次に、頭髪乾燥装置５０の動作について説明する。 
ヘアドライヤー５１を頭髪乾燥装置５０に装着させた状態において、使用者が図示しない操作スイッチなどを操作すると、第２の吹き出し口１８からマイナスイオンを含有する選択された温度の温風である第２の風が吹き出される点は、第１の実施の形態と同じため、説明を割愛する。  
【００４４】
一方、頭髪乾燥装置５０に装着させたヘアドライヤー５１には、第１の実施の形態における第１送風機構２５として機能し、第１の風モータ６８により第１の風ファン６６が回転され、第１の風吸入口５３から空気が吸入され、ヘアドライヤー吹き出し口６２、流路４６ａ、流路４６ｂ、蛇腹３６、及び流路４６ｃを介して、第１の吹き出し口１４から吹き出される。
その際、第１の吹き出し口１４は、位置移動機構３４及び方向切替機構３８により、第１の風を吹き出す方向を左右に切り替えながら、第１の風を吹き出す位置を上下方向に移動させる。  
このように、可動吹き出し口１４から、使用者の頭部の局所に向かって吹き出される、集約された温風である第１の風は、頭髪を移動・拡散させるために好適であることはいうまでもない。
【００４５】
ヘアドライヤー５１を分離させると、ヘアドライヤー吹き出し口６２にアタッチメントヘッドノズル６０を取り付けて、通常のヘアドライヤーと同様に温風や室温風を送風する
ことができる。また、図１５に示すように、頭髪乾燥装置５０の第２の吹き出し口１８から吹き出されるマイナスイオンを含有する温風である第２の風で頭髪全体を乾燥させながら、手指やブラシとヘアドライヤー５１を使用すれば、両手は塞がるものの、頭髪のスタイリングにのみ集中することも可能である。
（第３の実施の形態）
【００４６】
続いて、第３の実施の形態に係る頭髪乾燥装置について、図１６を参照しながら説明する。第１の実施の形態と共通する部分については、同じ符号を付してその詳細な説明は省略する。
【００４７】
本発明に係る頭髪乾燥装置７０は、図１６に示すように、正面に鏡７６が配置された洗面台に内蔵される形態であってもよい。 
第１の吹き出し口７２を、鏡７６の上側に配置させ、第１の風を方向Ｄ１に吹き出させる。 
そして、第２の吹き出し口７４を、鏡７６の左右両側にそれぞれ配置させ、第２の風を方向Ｄ２に吹き出させれば、本発明の頭髪乾燥装置と同様の形態となる。 
（第４の実施の形態）
【００４８】
続いて、第４の実施の形態に係る頭髪乾燥装置８０について、図１７を参照しながら説明する。第１の実施の形態と共通する部分については、同じ符号を付してその詳細な説明は省略する。
【００４９】
本発明に係る頭髪乾燥装置は、図１７に示すように、アーム８２の先端に配置させる形態であってもよい。
使用者が両手を使用する必要がなく、使用者が移動せず、あるいは、移動させずとも、頭部に対する頭髪乾燥装置の位置を任意に変更できるため、病院などの要介護施設において、介護者の人数や負荷で、要介護者に付きっきりで頭髪を乾燥させてあげることができない場合の、要介護者の頭髪の乾燥作業の労力を低減させることができる。
【００５０】
以上、本発明の実施の形態を説明したが、本発明は、上記した形態に限定されるものでなく、要旨を逸脱しない条件の変更などは全て本発明の適用範囲である。
例えば、第１の吹き出し口及び第２の吹き出し口の位置は任意でよい。図１８に示す頭髪乾燥装置９０のように、第１の吹き出し口９２の下側に第２の吹き出し口９４が設けられていてもよい。
また、第１及び第２の実施の形態においては、第１の吹き出し口の方向が左右に切り替えられ、位置が上下に移動されたが、この逆、すなわち、第１の吹き出し口の方向が上下に切り替えられ、位置が左右に移動される形態であってもよく、第１の吹き出し口の切り換え方向がと移動方向がともに同じ、すなわち、ともに上下方向であってり、左右方向であってもよい。
またさらに、本発明に係る頭髪乾燥装置は、人間の頭髪の乾燥に限定されるものではなく、ペットショップなどで、動物の毛を乾燥させるために用いてもよい。
【符号の説明】
【００５１】
１０    頭髪乾燥装置（第１の実施の形態）
１１    本体部
１２    第１の吹き出し口ノズルカバー  
１４    第１の吹き出し口
１６    第１の風吸入口
１８    第２の吹き出し口
２０    第２の風吸入口
２２    シロッコファンモータ
２４    シロッコファン
２５    第１送風機構
２６    制御装置
２８    第２の風ヒータ 
３０    第１の風ファン
３２    第２送風機構
３４    位置移動機構
３６    蛇腹
３８    方向切替機構
４０    イオン発生体
４２    ルーバー 
４４    第１の風モータ
４６    流路
４８    仕切り
５０    頭髪乾燥装置（第２の実施の形態）
５１    ヘアドライヤー  
５２    ヘアドライヤーヒータ
５３    第１の風吸入口
５４    バッテリー
５６    ヘアドライヤースイッチ
６０    アタッチメントヘッドノズル
６２    ヘアドライヤー吹き出し口
６６    第１の風ファン
６８    第１の風モータ
７０    頭髪乾燥装置（第３の実施の形態）
７２    第１の吹き出し口
７４    第２の吹き出し口
７６    鏡
８０    頭髪乾燥装置（第４の実施の形態）
８２    アーム
９０    頭髪乾燥装置
９２    第１の吹き出し口
９４    第２の吹き出し口
Ｓ１    第１の空間
Ｓ２    第２の空間
【要約】
【課題】温風を当てる領域の頭髪を、手指やブラシなどで移動・拡散させることなく、頭皮近傍部の頭髪も、表面の頭髪と略均等に乾燥させることができる頭髪乾燥装置を提供する。
【解決手段】本体部１１と、本体部１１に対して可動するように配置され、頭部の局所に、集約された第１の風を吹き出す第１の吹き出し口１４と、第１の風を送風する第１送風機構２６と、本体部１１の開口部として形成され、前記局所よりも広範囲に第２の風を送風する第２送風機構３２と、を備える頭髪乾燥装置１０によって達成される。  
【選択図】図１【図１】
0006007373.tif 000002
【図２】
0006007373.tif 000003
【図３】
0006007373.tif 000004
【図４】
0006007373.tif 000005
【図５】
0006007373.tif 000006
【図６】
0006007373.tif 000007
【図７】
0006007373.tif 000008
【図８】
0006007373.tif 000009
【図９】
0006007373.tif 000010
【図１０】
0006007373.tif 000011
【図１１】
0006007373.tif 000012
【図１２】
0006007373.tif 000013
【図１３】
0006007373.tif 000014
【図１４】
0006007373.tif 000015
【図１５】
0006007373.tif 000016
【図１６】
0006007373.tif 000017
【図１７】
0006007373.tif 000018
【図１８】
0006007373.tif 000019